(57)【特許請求の範囲】
【請求項１】
支持プレートの長孔内に挿入して取り付けるための足部（３）を備えた、プラスチックより成る固定エレメントであって、前記足部が、前記長孔の縁部に相当するヘッドと前記長孔の幅に合致するシャフトとから成っており、固定エレメントが、ヘッド挿入後に１／４回転させることによってシャフトが弾性変形して長孔内でロックされるようになっており、シャフト（７）が、ヘッド（５）を前記固定エレメントに結合する、長孔（４）の幅の中央ウエブ（１０）より成っており、該中央ウエブ（１０）の両縁部（１１）に各１つの脚（１２）がそれぞれ逆向きに直角に一体成形されていて、これらの脚（１２）は前記シャフト（７）を回転させると長孔（４）の縁部（６）によって中央ウエブ（１０）に向かって弾性的に湾曲せしめられ、１／４回転後にプラスチックの弾性的な戻り力に従ってその初期の状態を再び回復し、それによって逆方向の回転を阻止するようになっている形式のものにおいて、
ヘッド（５）がその外側の両端部で、前記固定エレメントの取り付け回転時に前記長孔（４）の縁部（６）を越えて前記支持プレートの背面にスライドする押しつけ斜面（８）を有していて、脚（１２）の自由端部に、前記中央ウエブ（１０）に対して平行に整列され、かつ中央ウエブ（１０）の長さと同じ長さを有している別の脚（１３）が一体成形されており、前記別の脚（１３）の自由端部に、それぞれ互いに離れる逆方向に突き出す付加部（１４）が設けられており、これらの付加部（１４）の突き出す高さ（ｈ）が、中央ウエブ（１０）とこの中央ウエブ（１０）に対して平行に延びる脚（１３）との間の間隔（ａ）と同じであることを特徴とする、支持プレートの長孔内に挿入して取り付けるための固定エレメント。
【発明の詳細な説明】
【技術分野】
【０００１】
本発明は、支持プレートの長孔内に挿入して取り付けるための足部を備えた、プラスチックより成る固定エレメントであって、前記足部が、前記長孔の縁部に相当するヘッドと前記長孔の幅に合致するシャフトとから成っており、固定エレメントが、ヘッド挿入後に１／４回転させることによってシャフトが弾性変形して長孔内でロックされるようになっており、シャフトが、ヘッドを前記固定エレメントに結合する、長孔の幅の中央ウエブより成っており、該中央ウエブの両縁部に各１つの脚がそれぞれ逆向きに直角に一体成形されていて、これらの脚は前記シャフトを回転させると長孔の縁部によって中央ウエブに向かって弾性的に湾曲せしめられ、１／４回転後にプラスチックの弾性的な戻り力に従ってその初期の状態を再び回復し、それによって逆方向の回転を阻止するようになっている形式のものに関する。
【０００２】
このような形式の固定エレメントはアメリカ合衆国特許第４９８１４０５号明細書により公知である。シャフトに直角にかつ逆向きに一体成形された２つの脚を有する固定エレメントによって、固定エレメントを取り付け回転方向とは逆方向に回転させた場合、この逆方向の回転は所定の抵抗にさらされる。この抵抗によって、有利な形式で固定エレメントが不意に解除される危険性が低下される。
【０００３】
一体成形された脚を備えた別の固定エレメントは、アメリカ合衆国特許第４３７５８７９号明細書、及びアメリカ合衆国特許第４７０５４４２号明細書に記載されている。
【０００４】
このような形式の固定エレメントは、ドイツ連邦共和国特許出願第１１８１００７号明細書により、ねじとナットとから構成されたものが公知であって、この公知の固定エレメントにおいては、長孔内に挿入可能な、ナットのシャフトが、長孔の幅に相当する幅を有し、かつねじ軸線に対して平行に延びる当接面を有しており、これらの当接面は、長孔内の相応の面と協働するので、ねじを締結する際にナットの回転が阻止されるようになっている。このナットは、ねじを緩めた後で再び戻し回転させて、長孔から抜き出すことができるようになっている。
【０００５】
さらに、ナットに相当する足部を備えた、上記形式の固定エレメントが提供されており、この足部はシャフトを備えている。しかしながらこの足部は螺合されない（ねじ込まれない）ので、固定エレメントが不意の回転運動によって再び緩む恐れがある。
【０００６】
そこで本発明の課題は、冒頭に述べた形式の固定エレメントで、特にしっかりと着座若しくは緊締されるという特徴を有するものを提供することである。
【０００７】
この課題は、本発明によれば、冒頭に述べた形式の固定エレメントにおいて、ヘッドがその外側の両端部で、前記固定エレメントの取り付け回転時に前記長孔の縁部を越えて前記支持プレートの背面にスライドする押しつけ斜面を有していて、脚の自由端部に、前記中央ウエブに対して平行に整列され、かつ中央ウエブの長さと同じ長さを有している別の脚が一体成形されており、前記別の脚の自由端部に、それぞれ互いに離れる逆方向に突き出す付加部が設けられており、これらの付加部の突き出す高さが、中央ウエブとこの中央ウエブに対して平行に延びる脚との間の間隔と同じであることによって、解決された。
【０００９】
押しつけ斜面並びに別の脚若しくは対抗脚を設けたことによって特にしっかりとした着座若しくは緊締される。何故ならば、固定エレメントの押しつけ斜面によって、取り付け回転方向で回転させた後で、支持プレートに堅固に結合され、別の脚若しくは対抗脚によって、本発明による固定エレメントの、取り付け回転方向とは逆方向の意図しない回転に抗して、特に大きい抵抗が働くからである。
【００１０】
本発明による固定エレメントの実施例が以下に、図面を用いて詳しく説明されている。
【００１１】
図１は、長孔内で固定するための、足部を備えた固定エレメントの側面図、
図２は、長孔内に挿入されたヘッドを示す、シャフトの断面図、
図３は、回転中のシャフトの断面図、
図４は、１／４回転後のシャフトの断面図、
図５は、２つのプレートを接続するための、参考実施例による構成のシャフトを備えた別の固定エレメントの断面図、
図６は、同じ固定エレメントの側面図、
図７は、長孔内に挿入されたヘッドを示す、シャフトの断面図、
図８は、回転中のシャフトの同じ断面図、
図９は、１／４回転後のシャフトの同じ断面図である。
【００１２】
図１〜図４に示した固定エレメントは、例えばケーブル束等の長く延びる構成部分を緊締保持するための上部１と、この上部１の底プレート２に一体的に形成された足部３とから成っており、この足部３は、支持プレートの長孔４内に挿入するために構成されている。足部３は、外側輪郭が長孔縁部６に合わされたヘッド５と、長孔４の幅と同じ幅を有するシャフト７とを有している。ヘッド５は、長孔４内に挿入した後で、１／４回転させることによってシャフト７の弾性変形下でロックされ得るようになっている。
【００１３】
ヘッド５はこのために、その外側の両端部で押しつけ斜面８を有しており、この押しつけ斜面８は、回転させると長孔縁部６を越えて支持プレートの背面にスライドする。このために底プレート２はやや湾曲されており、最も下の載設リブ９がぶつかると、上方にばね変形して、押しつけ斜面８が支持プレートの下側に潜り込むことができる。
【００１４】
本発明によれば、シャフト７は、ヘッド５を底部プレート２に接続している中央ウエブ１０より成っている。両縁部１１には、互いに逆向きのそれぞれ１つの、中央ウエブ１０に対して直角の脚１２が一体成形されている。つまり、これらの脚１２は、シャフト７が回転せしめられると、長孔縁部６によって中央ウエブ１０に向かって弾性的に湾曲され（図３及び図８参照）、１／４回転後に、プラスチックの弾性的な戻し力に従って再びその元の状態に戻るようになっている。シャフト７を逆方向に回転させることは、シャフト７の損傷なしには不可能である。何故ならば脚１２は圧縮されることは不可能であり、また変位させることもできないからである。
【００１５】
図１〜図４に示した実施例においては、さらに弾性的に変形可能な脚１２の自由端部に、中央ウエブ１０に対して平行に、かつ中央ウエブ１０の長さと同じ長さの２つの別の脚１３が一体成形されている。これらの脚１３は、その自由端部で、互いに逆向きの付加部１４を有しており、この付加部１４の長さは、中央ウエブ１０と、この中央ウエブ１０に対して平行に延びる脚１３との間の間隔と同じである。それによって、脚１２が１／４回転後に中間ウエブ１０と長孔４の縁部６との間で確実に緊締され、弾性的な脚１２が側方に変位しないことが保証される。
【００１６】
図５及び図６に示した参考実施例では、２つのプレートを結合するための固定エレメントが示されており、この固定エレメントは、回しグリップ１５と、ばね弾性的に撓む支持シールド１６とを有していて、この支持シールド１６の底プレート１７に、前記実施例とは別の形状のシャフトが一体成形されている。
【００１７】
このシャフトにおいては、中央ウエブ１０の自由縁部１１にそれぞれ１つの対抗脚１８が、互いに逆向きに一体成形されており、この場合、２つの脚１２及び対抗脚１８の間隔「Ａ」は、それぞれ長孔４の幅「Ｂ」に相当し、対抗脚１８は、弾性的に変形可能な脚１２の約２倍の厚さを有している。弾性的な脚１２の支持機能をより強くするために、これらの脚１２の自由端部に、「図２に示した脚１３におけるように」付加部１９が直角に一体成形されている。
【図面の簡単な説明】
【００１８】
【図１】長孔内で固定するための、足部を備えた固定エレメントの側面図である。
【図２】長孔内に挿入されたヘッドを示す、シャフトのII-II線に沿った断面図である。
【図３】回転中のシャフトの断面図である。
【図４】１／４回転後のシャフトの断面図である。
【図５】２つのプレートを接続するための、参考実施例による構成のシャフトを備えた別の固定エレメントの断面図である。
【図６】同じ固定エレメントの側面図である。
【図７】長孔内に挿入されたヘッドを示す、シャフトのVII-VII線に沿った断面図である。
【図８】回転中のシャフトの同じ断面図である。
【図９】１／４回転後のシャフトの同じ断面図である。
【図１】
0004504022.tif 000002
【図２】
0004504022.tif 000003
【図３】
0004504022.tif 000004
【図４】
0004504022.tif 000005
【図５】
0004504022.tif 000006
【図６】
0004504022.tif 000007
【図７】
0004504022.tif 000008
【図８】
0004504022.tif 000009
【図９】
0004504022.tif 000010